(57)【要約】【課題】  災害発生の際に各避難所対する局所的な情報をワンセグ放送にて提供する被災地向け放送システムを提供する。【解決手段】  被災地向け放送システム１００は、各避難所に対し被災地情報を提供する親局システム３０と、被災地情報を受け取る子局システム４０とを備え、親局システム３０は、子局システムの属するエリア毎に生成される被災地情報を格納する被災地情報記憶部３、取得した被災地情報を地上デジタル放送データに変換し、地上デジタル放送データのワンセグ放送データ部分のみをＩＰデータに変換し、ＩＰデータを子局システムに送信する親局ＩＰ変換装置１とを備え、子局システム４０は、ＩＰデータを受信し、受信したＩＰデータをフルセグ放送データに変換して地上デジタル放送データとし、地上デジタル放送データの地上波を出力する子局ＩＰ変換装置７とを備える。【選択図】      図１
2009253619.tif 000002
【特許請求の範囲】
【請求項１】
各避難所に対し被災地情報を提供する親局システムと、前記各避難所に設置され前記被災地情報を受け取る子局システムとを備える被災地向け放送システムであって、前記親局システムは、
前記子局システムの属するエリア毎に生成される前記被災地情報を格納する被災地情報記憶部と、
前記被災地情報記憶部より前記被災地情報を取得し、取得した前記被災地情報を地上デジタル放送データに変換し、前記地上デジタル放送データのワンセグ放送データ部分のみをＩＰデータに変換し、前記ＩＰデータを前記子局システムに送信する親局ＩＰ変換装置
とを備え、前記子局システムは、
前記ＩＰデータを受信し、受信した前記ＩＰデータをフルセグ放送データに変換して前記地上デジタル放送データとし、前記地上デジタル放送データの地上波を出力する子局ＩＰ変換装置
とを備えることを特徴とする被災地向け放送システム。
【請求項２】
前記子局ＩＰ変換装置は、
前記地上デジタル放送データの地上波を出力する際に、前記地上デジタル放送データに含まれる前記ワンセグ放送データの周波数帯域の地上波のみを抽出して出力するフィルタ部
を更に備えることを特徴とする請求項１に記載の被災地向け放送システム。
【請求項３】
各避難所に対する被災地情報を有する親局システムが、前記各避難所に設置される子局システムに前記被災地情報を提供する被災地向け放送方法であって、前記親局システムは、
前記子局システムの属するエリア毎に生成される前記被災地情報を被災地情報記憶部に格納するステップと、
親局ＩＰ変換装置が、前記被災地情報記憶部より前記被災地情報を取得し、取得した前記被災地情報を地上デジタル放送データに変換し、前記地上デジタル放送データのワンセグ放送データ部分のみをＩＰデータに変換し、前記ＩＰデータを前記子局システムに送信するステップ
とを備え、前記子局システムは、
子局ＩＰ変換装置が、前記ＩＰデータを受信し、受信した前記ＩＰデータをフルセグ放送データに変換して前記地上デジタル放送データとし、前記地上デジタル放送データの地上波を出力するステップ
とを備えることを特徴とする被災地向け放送方法。
【請求項４】
前記地上波を出力するステップは、前記地上デジタル放送データの地上波を出力する際に、フィルタ部が、前記地上デジタル放送データに含まれる前記ワンセグ放送データの周波数帯域の地上波のみを抽出して出力するステップ
を更に備えることを特徴とする請求項３に記載の被災地向け放送方法。
【発明の詳細な説明】
【技術分野】
【０００１】
本発明は、災害発生の際に各避難所対する局所的な情報をワンセグ放送にて提供する被災地向け放送システム及び被災地向け放送方法に関する。
【背景技術】
【０００２】
災害発生時には、被災地の各避難所等に公民館等の安全な場所へ避難することを勧告する避難情報、災害の現在の状態を通知する災害情報等の情報（以下、「被災地情報」と記載）が配信される。これらは生命の危機に関わる非常に重要な情報である。被災地情報を提供する方法としては様々な手段がある。例えば、インターネット、携帯電話、又地上デジタル放送（テレビ）等がある。
【０００３】
これらの装置を用いたシステムとして、ラジオ、インターネット等の複数の伝送媒体を組み合わせ、複数の伝送媒体から送信される防災情報の内の幾つかの情報を利用して、防災情報に含まれている防災地域情報が示している地域にその情報を確実に送信する為の技術が開示されている（特許文献１参照）。
【特許文献１】特開２００１−７６２７６号公報
【発明の開示】
【発明が解決しようとする課題】
【０００４】
しかしながら、災害発生時には同時に、インターネットや携帯網等の事業者回線が寸断されることが予測される。地上デジタル放送も、災害発生時に放送事業者との通信回線がダウンしてしまう可能性がある。このような場合、被災地情報の提供手段は限定される。例えば、事業者回線、放送受信が切断された場合には、防災無線の拡声器による音声放送等が使用されるが、拡声器では詳細な情報は伝えづらく、又、聴覚障害者には避難情報が伝えられない等のデメリットがあった。
【０００５】
本発明は、上記の問題点に鑑みてなされたものであり、災害発生時において、事業者回線、放送受信が切断された場合であっても、被災地の避難所等に対し被災地情報等を適宜送信することが出来る被災地向け放送システム及び被災地向け放送方法を提供することを目的とする。
【課題を解決するための手段】
【０００６】
上記の問題点を鑑みて、本発明の第１の特徴は、（イ）各避難所に対し被災地情報を提供する親局システムと、各避難所に設置され被災地情報を受け取る子局システムとを備える被災地向け放送システムであって、親局システムは、子局システムの属するエリア毎に生成される被災地情報を格納する被災地情報記憶部と、（ロ）被災地情報記憶部より被災地情報を取得し、取得した被災地情報を地上デジタル放送データに変換し、地上デジタル放送データのワンセグ放送データ部分のみをＩＰデータに変換し、ＩＰデータを子局システムに送信する親局ＩＰ変換装置とを備え、（ハ）子局システムは、ＩＰデータを受信し、受信したＩＰデータをフルセグ放送データに変換して地上デジタル放送データとし、地上デジタル放送データの地上波を出力する子局ＩＰ変換装置とを備える被災地向け放送システムであることを要旨とする。  
更に本発明の第1の特徴は、（ニ）子局ＩＰ変換装置は、地上デジタル放送データの地上波を出力する際に、地上デジタル放送データに含まれるワンセグ放送データの周波数帯域の地上波のみを抽出して出力するフィルタ部を更に備えることを加えても良い。
【０００７】
本発明の第２の特徴は、（イ）各避難所に対する被災地情報を有する親局システムが、各避難所に設置される子局システムに被災地情報を提供する被災地向け放送方法であって、親局システムは、子局システムの属するエリア毎に生成される被災地情報を被災地情報記憶部に格納するステップと、（ロ）親局ＩＰ変換装置が、被災地情報記憶部より被災地情報を取得し、取得した被災地情報を地上デジタル放送データに変換し、地上デジタル放送データのワンセグ放送データ部分のみをＩＰデータに変換し、ＩＰデータを子局システムに送信するステップとを備え、（ハ）子局システムは、子局ＩＰ変換装置が、ＩＰデータを受信し、受信したＩＰデータをフルセグ放送データに変換して地上デジタル放送データとし、地上デジタル放送データの地上波を出力するステップとを備える被災地向け放送方法であることを要旨とする。
【発明の効果】
【０００８】
本発明の被災地向け放送システム及び被災地向け放送方法によると、親局システムから子局システムへの放送データ伝送の際、ワンセグ放送データ部分のみ抜きだして伝送する為、放送データを狭い帯域で効率的に伝送することができる。
【０００９】
子局システムにおいて、ワンセグ放送データに１２セグ部分のダミー放送データを付加してフルセグ放送データとすることで、ＯＦＤＭ変調処理を地上デジタル放送の標準仕様に合わせて行うことができる。
【００１０】
フィルタ部により、子局システムから避難者の保持するワンセグ対応携帯等へ対し出力する放送波をワンセグ周波数帯域のみに絞り、他の電波への影響を最小限に抑えることができる。
【発明を実施するための最良の形態】
【００１１】
以下、本発明の実施の形態に係る被災地向け放送システムについて説明する。尚、本発明の実施の形態において使用される機器、手法等は一例であり、本発明はこれらに限定されるものではないことは勿論である。
【００１２】
まず、本発明の実施の形態の被災地向け放送システムにおいて、防災無線データの通信手段として使用されるワンセグ放送について説明する。
【００１３】
ワンセグ放送とは、近年日本において普及している、主に携帯電話などの携帯機器を受信対象とする地上デジタルテレビジョン放送である「携帯電話・移動体端末向けの1セグメント部分受信サービス」である。ワンセグ（1seg）について説明すると、日本の地上デジタルテレビジョン放送では、1つのチャンネルの周波数帯域幅6MHzが13のセグメントに分かれた構造となっており、そのうち、ハイビジョン放送（HDTV）には12セグメント、通常画質の放送には4セグメントが割り当てられている。携帯電話等のモバイル端末は画面が小さく、性能が低いため、1セグメントを割り当てて低解像度（320×240/320×180）の放送を行うこととなった。この「1セグメント」を略して「ワンセグ」と呼ばれている。
【００１４】
ワンセグでは、一般のテレビと同じ番組に加え、各テレビ局が番組を楽しむためにワンセグ専用に制作したデータ放送コンテンツも利用できる。このデータ放送コンテンツには放送と通信の連携機能が数多く用意されている。データ放送には、BML Cプロファイルが用いられている。このプロファイルは、BSデジタル放送や地上デジタル放送のAプロファイルとは異なる機能が追加されている。
【００１５】
（被災地向け放送システム）
先ず、本発明の実施の形態に係る被災地向け放送システム１００について図１を参照して説明する。被災地向け放送システム１００は、各避難所等に対し被災地情報を提供する市町村役所・役場等に設置される親局システム３０と、各避難所等に設置され被災地情報を受け取る子局システム４０とを備えている。親局システム３０から子局システム４０へのデータ通信回線には、災害に強い同報系の防災無線のデータ通信を使用する。各避難所の子局システム４０においては、親局システム３０から送られた被災地情報を、地上デジタル放送のワンセグ形式で局所的に放送する。
【００１６】
親局システム３０としては、親局ＩＰ変換装置１、被災地情報サーバ２、被災地情報記憶部３、親局操作端末４、防災無線親局５及びＬＡＮスイッチ６等を備える。
【００１７】
先ず、被災地情報サーバ２は、被災地情報番組表に従って、一定時間毎に、被災地情報として映像、音声及び文字データ等を生成する。これらの被災地情報は一定のエリア毎に設置される子局毎に、適する情報が生成される。例えば地震が発生した際に、海側エリアの子局には地震情報及び津波情報が、町側エリアの子局には地震情報及び火災情報が生成されたりする。生成された被災地情報は被災地情報記憶部３に格納される。親局ＩＰ変換装置１は、被災地情報記憶部３に格納される被災地情報を、その被災地情報を必要とする子局に送信する為、ワンセグ放送データ部分のみをＩＰデータに変換する。ＩＰデータに変換された被災地情報は防災無線親局５より、防災無線データ通信にて、防災無線子局９に送信される。尚、親局操作端末４は、これらの親局システム３０の動作、例えば被災地情報の生成処理、ワンセグ放送データ部分を放送データに変換する処理等を制御する。又、親局システム３０内の装置は全てＬＡＮスイッチ６にて接続されている。
【００１８】
子局システム４０としては、子局ＩＰ変換装置７、子局操作端末８、防災無線子局９及びＬＡＮスイッチ１０等を備える。
【００１９】
防災無線子局９は、データ通信回線を介して、防災無線親局５より送信されるワンセグ部分のＩＰデータ（被災地情報）を受信する。子局ＩＰ変換装置７は受信するワンセグ放送データ部分のＩＰデータをフルセグ放送データに変換し、ワンセグ対応の携帯電話等に送信する。受信した携帯電話では、被災地情報の映像、音声及び文字データ等を再生する。尚、子局操作端末８は、これらの子局システム４０の動作、例えば被災地情報の受信処理、フルセグ放送データに変換する処理等を制御する。又、子局側の装置は全てＬＡＮスイッチ１０にて接続されている。次に親局ＩＰ変換装置１及び子局ＩＰ変換装置７について詳細に説明する
（親局ＩＰ変換装置）
親局ＩＰ変換装置１は、図２に示すように、本放送サーバ１１、データ放送サーバ１２、スキャンコンバータ１３、エンコーダ１４、多重化処理部１５及びＩＰ送信部１６等を備えている。
【００２０】
本放送サーバ１１は、図１の被災地情報サーバ２より送信される地上放送データ（フルセグデータ）を受信し、映像データと音声データに分離する。データ放送サーバ１２は、図１の被災地情報サーバ２より送信される地上放送に関するデータ放送を受信し、文字データに変換する。
【００２１】
スキャンコンバータ１３は、映像データを受信し、携帯通信端末の水平同期周波数に適するように、出力信号を変換する。エンコーダ１４は、映像データ及び音声データを受信し、これらのデータの圧縮処理や暗号化処理等を行う。
【００２２】
多重化処理部１５は、映像データ、音声データ及び文字データを受信し、これらのデータを多重伝送可能とするように多重化処理を行う。ＩＰ送信部１６は、放送データを狭い帯域で効率的に伝送するため、多重化されたフルセグデータ（図３（ａ）参照）のうち、ワンセグ対応部分のデータのみを抜き出しエンコードする（図３（ｂ）参照）。エンコードされたワンセグ対応データは、防災無線親局５へと送信される。データ送信にはトランスポートストリームが使用され、１８８バイト固定長のトランスポートストリームパケットにてワンセグ対応データのみが送信されることとなる。
【００２３】
（子局ＩＰ変換装置）
子局ＩＰ変換装置７は、図４に示すように、ＩＰ受信部２１、被災地情報バッファ部２２、ＯＦＤＭ変調部２３、アンプ部２４、フィルタ部２５及び送信アンテナ２６等を備えている。
【００２４】
ＩＰ受信部２１は、図５（ａ）のように送信されてくるトランスポートストリームパケットを受信する。次に図５（ｂ）のように、ＩＳＤＢ−Ｔの規格に合わせて、ワンセグトランスポートストリームパケット（強階層）の間に、１２セグトランスポートストリームパケット（弱階層）を挿入する。この１２セグトランスポートストリームパケットはＮＵＬＬパケットで構わない。この結果図５（ｃ）のようなフルセグトランスポートストリームパケット（フルセグ形式放送データ）のストリームとなる。
【００２５】
被災地情報バッファ部２２は、変換されたフルセグ形式放送データを格納する。
【００２６】
ＯＦＤＭ変調部２３は、フルセグ形式にされた放送データに直行周波数分割多重（Orthogonal Frequency Division Multiplexing : OFDM）変調を行う。
【００２７】
アンプ部２４は、フルセグ形式放送データに増幅処理をおこなう。フィルタ部２５は、フルセグ形式放送データの送信放送波のうちワンセグ放送データの周波数帯域の地上波のみを抽出して出力し、他の電波への影響を最小限に抑えた状態で、アンテナに出力する。
【００２８】
送信アンテナ２６は、ワンセグ放送形式の放送波として被災地情報の放送データを出力する。各避難所の避難者等は、ワンセグ対応携帯通信端末等のワンセグ受信機により、ワンセグ放送形式で被災地向け情報を受信する。
【００２９】
（被災地向け放送システムの動作）
次に、被災地向け放送システム１００の動作について、図７のフローチャートを参照して説明する。
【００３０】
（ａ）先ずステップＳ１０１において、親局操作端末４から操作等により、被災地情報サーバ２は被災地のエリア毎に被災地情報（地上放送データ）を生成し、被災地情報記憶部３に格納する。又、被災地情報サーバ２は、被災地情報記憶部３に格納される被災地情報を、親局操作端末４からの操作又は予め設定される間隔毎に、親局ＩＰ変換装置１に送信する。
【００３１】
（ｂ）ステップＳ１０２においては、親局ＩＰ変換装置１が被災地情報を受信すると、本放送サーバ１１が被災地情報を受信し、映像データと音声データに分離する。データ放送サーバ１２は、地上放送に関するデータ放送を受信し、文字データに変換する。スキャンコンバータ１３は、映像データを受信し、携帯通信端末用に出力信号を変換する。エンコーダ１４は、映像データ及び音声データを受信し、これらのデータの圧縮処理や暗号化処理等を行う。多重化処理部１５は、映像データ、音声データ及び文字データを受信し、これらのデータを多重伝送可能とするように多重化処理を行う。ＩＰ送信部１６は、放送データを狭い帯域で効率的に伝送するため、多重化されたフルセグデータのうち、ワンセグ対応部分のデータのみを抜き出し符号化処理する。ステップＳ１０３において、符号化されたワンセグ対応データは、防災無線親局５へと送信される。防災無線親局５は、この符号化されたワンセグ対応データ（トランスポートストリームパケット）を防災無線のデータ通信にて、各子局システム４０へと送信する。
【００３２】
（ｃ）ステップＳ１０４において、符号化されたワンセグ対応データを子局システム４０が受信すると、ステップＳ１０５において、ＩＰ受信部２１は、符号化されたワンセグ対応データを地上放送データへと復号する。ＩＰ受信部２１は、図５（ｂ）に示すようにワンセグ対応データにダミー放送データ（１２セグトランスポートストリームパケット）を付加して、フルセグ形式の放送データに変換する（図５（ｃ）参照）。
【００３３】
（ｄ）ステップＳ１０６において、変換されたフルセグ形式放送データは被災地情報バッファ部２２に格納される。放送データが１回放送（１クリップ）分バッファされると、子局操作端末８からの制御又は予め設定された時間条件等により、１クリップ分の放送データはＯＦＤＭ変調部２３に送信され ＯＦＤＭ変調処理される（ステップＳ１０７）。この後この放送データは、アンプ部２４にて増幅処理され、フィルタ部２５にて送信放送波をワンセグ周波数のみの出力に絞られ、送信アンテナ２６から出力される（ステップＳ１０８）。
【００３４】
１クリップの放送データは、図７に示すように、例えば３０分間隔で放送する場合、その間に一放送データが何度も繰り返し放送される。つまり１クリップ放送データが５分であると、同じ放送データが６回分放送されることになる。再放送中に次のクリップの放送データが被災地情報バッファ部２２に蓄積されると、蓄積された放送データに同様に変調・増幅処理等がなされ、送信アンテナ２６は次のクリップの放送データ出力を開始する。各避難所の避難者等は、ワンセグ対応携帯通信端末等にて、ワンセグ放送形式でこれらの放送データ（被災地情報）を受信し、閲覧する。
【００３５】
上記のように本発明の被災地向け放送システム１００によると、災害発生時において、事業者回線、放送受信が切断された場合であっても、被災地の避難所等に対し、ワンセグ放送にて、被災地情報等を適宜送信することが出来る。親局システム３０から子局システム４０への放送データ伝送の際、ワンセグ放送データ部分のみ抜きだして伝送する為、放送データを狭い帯域で効率的に伝送することができる。子局システム４０において、ワンセグ放送データに１２セグ部分のダミー放送データを付加してフルセグ放送データとすることで、ＯＦＤＭ変調処理を地上デジタル放送の標準仕様に合わせて行うことができる。フィルタ部により、子局システム４０から避難者の保持するワンセグ対応携帯等へ対し出力する放送波をワンセグ周波数帯域のみに絞り、他の電波への影響を最小限に抑えることができる。
【図面の簡単な説明】
【００３６】
【図１】本発明の実施の形態に係る被災地放送システムの構成を示す図である。
【図２】親局ＩＰ変換装置の内部構成を示す図である。
【図３】放送データのデータ構造を示す図である。
【図４】子局ＩＰ変換装置の内部構成を示す図である。
【図５】放送データのデータ構造を示す図である。
【図６】被災地放送システムの全体動作を示すフロー図である。
【図７】放送データの動作タイミングを示す図である。
【符号の説明】
【００３７】
１…親局ＩＰ変換装置
２…被災地情報サーバ
３…被災地情報記憶部
４…親局操作端末
５…防災無線親局
６…ＬＡＮスイッチ
７…子局ＩＰ変換装置
８…子局操作端末
９…防災無線子局
１０…ＬＡＮスイッチ
１１…本放送サーバ
１２…データ放送サーバ
１３…スキャンコンバータ
１４…エンコーダ
１５…多重化処理部
１６…ＩＰ送信部
２１…ＩＰ受信部
２２…被災地情報バッファ部
２３…ＯＦＤＭ変調部
２４…アンプ部
２５…フィルタ部
２６…送信アンテナ
３０…親局システム
４０…子局システム
１００…被災地向け放送システム
【図１】
2009253619.tif 000003
【図２】
2009253619.tif 000004
【図３】
2009253619.tif 000005
【図４】
2009253619.tif 000006
【図５】
2009253619.tif 000007
【図６】
2009253619.tif 000008
【図７】
2009253619.tif 000009